(57)【要約】【課題】グリップがハウジングに挿抜される際にハウジング側端子及びグリップ側端子が摺動によって劣化することがなく、グリップ挿抜回数に制限がない、サービスプラグ機構を備えた車載用バッテリを提供すること。【解決手段】ハウジング１５内にバッテリ電源回路に電気的に接続されたハウジング側端子３１,３２を設ける。グリップ１６内にハウジング１５に対するグリップ１６の挿入時にハウジング側端子３１,３２を挟持してバッテリ電源回路を閉止する挟持部６１ａ,６２ａを有するクリップ状のグリップ側端子６１,６２を設ける。ハウジング１５内のグリップ側端子６１,６２の挿抜経路にハウジング１５に対するグリップ１６の挿抜時にグリップ側端子６１,６２がハウジング側端子３１,３２を挟持する前後でグリップ側端子６１,６２の挟持部６１ａ,６２ａを押し広げた状態に維持する拡張突起４２,４４を設ける。【選択図】図６
2017111980.tif 000002
【特許請求の範囲】
【請求項１】
バッテリ電源回路の開閉をハウジングに対するグリップの挿抜によって行うサービスプラグ機構を備えた車載用バッテリであって、
前記ハウジング内に設けられ、前記バッテリ電源回路に電気的に接続されたハウジング側端子と、
前記グリップ内に設けられ、前記ハウジングに対する前記グリップの挿入時に前記ハウジング側端子を挟持して前記バッテリ電源回路を閉止する挟持部を有するクリップ状のグリップ側端子と、
前記ハウジング内の前記グリップ側端子の挿抜経路に設けられ、前記ハウジングに対する前記グリップの挿抜時に前記グリップ側端子が前記ハウジング側端子を挟持する前後で前記グリップ側端子を押し広げた状態に維持する拡張突起と、
を備える、サービスプラグ機構を備えた車載用バッテリ。
【発明の詳細な説明】
【技術分野】
【０００１】
本発明は、バッテリ電源回路の開閉をハウジングに対するグリップの挿抜によって行うサービスプラグ機構を備えた車載用バッテリに関する。
【背景技術】
【０００２】
従来、車載用バッテリとしては、特許文献１に記載されているものがある。この車載用バッテリは、車両点検の際にバッテリ電源回路を流れる大電流で感電しないようにバッテリ電源回路を遮断するためのサービスプラグ機構（以下、単にサービスプラグという）を備える。このサービスプラグは、車両の点検保守時に、車載用バッテリケース側面に固定されたハウジングに対するグリップの挿抜によってバッテリ電源回路の開閉を行う。
【０００３】
ハウジングは上面が開口した箱形状を有する。ハウジングはバッテリ電源回路に含まれるハウジング側端子を保持する。グリップはハウジングの上面開口を介して挿抜される。グリップがハウジングから引き離されている状態では、バッテリ回路は開放している。グリップがハウジングに正しく接続されてハウジング側端子がグリップ内のグリップ側端子に電気的に接続されると、バッテリ電源回路が閉止される。
【先行技術文献】
【特許文献】
【０００４】
【特許文献１】特開２００６−３２７２５１号公報（第４図）
【発明の概要】
【発明が解決しようとする課題】
【０００５】
上記車載用バッテリでは、グリップがハウジングから挿抜される度に、ハウジング側端子と、グリップ側端子の挟持部とが摺動するため、ハウジング側端子と、グリップ側端子とが互いの摺動により劣化する。よって、上記車載用バッテリでは、グリップの挿抜で両側端子が摺動することに起因する両側端子の劣化を考慮してグリップ挿抜の許容回数が規定されている。しかしながら、市場でのサービス作業等においてグリップ挿抜の許容回数を守ることは困難である。
【０００６】
本発明の目的は、グリップがハウジングに挿抜される際にハウジング側端子に対してグリップ側端子が摺動することがなくて両側端子が摺動によって劣化することがなく、グリップ挿抜回数に制限がない、サービスプラグ機構を備えた車載用バッテリを提供することにある。
【課題を解決するための手段】
【０００７】
本発明に係るサービスプラグ機構を備えた車載用バッテリは、バッテリ電源回路の開閉をハウジングに対するグリップの挿抜によって行うサービスプラグ機構を備えた車載用バッテリであって、前記ハウジング内に設けられ、前記バッテリ電源回路に電気的に接続されたハウジング側端子と、前記グリップ内に設けられ、前記ハウジングに対する前記グリップの挿入時に前記ハウジング側端子を挟持して前記バッテリ電源回路を閉止する挟持部を有するクリップ状のグリップ側端子と、前記ハウジング内の前記グリップ側端子の挿抜経路に設けられ、前記ハウジングに対する前記グリップの挿抜時に前記グリップ側端子が前記ハウジング側端子を挟持する前後で前記グリップ側端子を押し広げた状態に維持する拡張突起と、を備える。
【発明の効果】
【０００８】
本発明によれば、ハウジング内に設けられた拡張突起が、グリップ挿抜時にグリップ側端子がハウジング側端子を挟持する前後でグリップ側端子を押し広げた状態に維持するので、グリップ挿抜時のハウジング側端子が挟持される前後でグリップ側端子とハウジング側端子とが摺動することがない。したがって、グリップ挿抜時に両側端子が互いの摺動によって劣化することがないので、両側端子の耐久性を向上させることができ、グリップ挿抜回数が制限されることがない。
【図面の簡単な説明】
【０００９】
【図１】本発明の第１実施形態に従う車載用バッテリを含んだ車両装置の概略構成図である。
【図２】サービスプラグ機構のハウジングを側方から見たときの模式図である。
【図３】ハウジングの模式平面を示す図２のＡ-Ａ断面図である。
【図４】サービスプラグ機構のグリップの模式斜視図である。
【図５】グリップを側方から見たときの模式図である。
【図６】ハウジングに対するグリップの挿入動作について説明するための模式図である。
【図７】第１及び第２グリップ側端子が第１及び第２ハウジング側端子に電気的に接続される動作について説明するための模式図である。
【図８】第１実施形態の変形例における２つのグリップ側端子を示す斜視図である。
【図９】第２実施形態のサービスプラグ機構のハウジング内構造を説明するためにハウジングを断面にした模式平面図（ａ）、（ａ）のＤ-Ｄ断面図（ｂ）そして（ａ）のＥ−Ｅ断面図（ｃ）である。
【図１０】第２実施形態のサービスプラグ機構のグリップを説明するための模式平断面図（ａ）と（ａ）のＦ-Ｆ断面図（ｂ）である。
【図１１】第２実施形態におけるハウジングに対するグリップの挿入動作について説明するための模式断面図である。
【発明を実施するための形態】
【００１０】
以下に、本発明に係る実施の形態について添付図面を参照しながら詳細に説明する。以下において実施形態及び変形例に含まれる特徴部分を適宜に組み合わせて他の実施形態を作成することは当初から想定されている。
【００１１】
図１は、本発明の第１実施形態に従う車載用バッテリ１を含む車両装置７０の概略構成図である。以下、図１を用いてサービスプラグ機構１２の役割を簡単に説明する。図１では、説明に不必要な制御装置、リレー及び補機等の図示は省略する。
【００１２】
この車両装置７０は、ＥＶ（Electric Vehicle）やＨＶ（Hybrid Vehicle）等の車両で用いられることができる。この車両装置７０は、車載用バッテリ（以下、単にバッテリという）１、インバータ２及びモータ３を含む。バッテリ１は、バッテリ本体１１と、サービスプラグ機構（以下、単に、サービスプラグという）１２とを備える。バッテリ本体１１は、端子間電圧が１００Ｖ以上の高圧電源である。バッテリ本体１１は、例えば、直列に接続された多数のニッケル水素電池で好適に構成されることができ、鉛蓄電池、リチウムイオン電池、キャパシタ又は燃料電池で構成されてもよい。
【００１３】
サービスプラグ１２は、車両点検を行うサービス業者等が感電しないようにバッテリ電源回路５を手動で遮断する際に用いられる。サービスプラグ１２は、ハウジング１５と、ハウジング１５に挿抜可能なグリップ１６とを含む。グリップ１６をハウジング１５に挿入するとバッテリ電源回路５が閉止し、グリップ１６をハウジング１５から引き離すとバッテリ電源回路５が開く。図１では、グリップ１６がハウジング１５に挿入されており、バッテリ電源回路５が閉止している。サービスプラグ１２の構造については、後述する図２以下で詳細に説明する。
【００１４】
インバータ２は、バッテリ本体１１からの直流電力を交流電力に変換した後、交流電力をモータ３に供給する。モータ３は、車両を走行させる駆動源である。モータ３は、インバータ２からの交流電力で駆動して回転動力を生成する。モータ３は、三相同期型電動機で好適に構成されることができ、この場合、インバータ２は、三相交流電力をモータ３に供給する。図１で示す例では、バッテリ本体１１からの直流電力が直接インバータ２に供給される場合について説明したが、バッテリ本体１１とインバータ２との間にコンバータを挿入してもよい。そして、コンバータでバッテリ本体１１からの直流電圧を昇圧し、昇圧後の直流電圧をインバータ２に供給してもよい。
【００１５】
図２は、サービスプラグ１２のハウジング１５を側方から見たときの模式図であり、図３は、ハウジング１５の模式平面を示す図２のＡ-Ａ断面図である。ハウジング１５は、絶縁樹脂等の絶縁材料で構成されることが好ましい。ハウジング１５は、例えばバッテリ本体１１（図１参照）のバッテリケース（図示せず）に固定されてもよく、バッテリケースに一体に成形されてもよい。図２及び図３に示すように、ハウジング１５は、上面が開口した箱の形状を有する。
【００１６】
図３に示すように、ハウジング１５の内部スペースには、１対の第１及び第２ハウジング側端子３１,３２が設けられる。２つのハウジング側端子３１,３２は、同一の構造を有し、金属等の導電性の材料で構成される。第１及び第２ハウジング側端子３１,３２は、板状のバスバ端子であり、ハウジング１５の高さ方向Ｚ（以下、単にＺ方向という）に延在している。図３に示すように、ハウジング側端子３１,３２は、ハウジング１５の幅方向の略中央に設けられ、第１ハウジング側端子３１は第２ハウジング側端子３２に対して第１ハウジング側端子３１の厚さ方向Ｘ（以下、単にＸ方向という）に間隔をおいた状態で対向する。
【００１７】
ハウジング側端子３１,３２は、ハウジング１５の底部２１を貫通する。ハウジング側端子３１,３２は、バッテリ電源回路５に電気的に接続される。詳しくは、図１に示すように、第１ハウジング側端子３１はバッテリ電源回路５のバッテリ本体１１側に電気的に接続され、第２ハウジング側端子３２はバッテリ電源回路５のインバータ２側に電気的に接続される。従って、ハウジング１５のみではバッテリ電源回路５は開放状態にあり、バッテリ本体１１からモータ３への電力供給はできないことが理解される。
【００１８】
図３に示すように、ハウジング１５内には、第１ハウジング側端子３１の幅方向Ｙ（以下、単にＹ方向という）の両側に第１及び第２拡張突起４１,４２が設けられ、第２ハウジング側端子３２のＹ方向両側に第３及び第４拡張突起４３,４４が設けられる。第１〜第４拡張突起４１〜４４は、同一の構造を有する。第１〜第４拡張突起４１〜４４は、摩擦係数が小さくて耐摩擦性に優れる樹脂、例えばポリアサタール、ポリアミド、ポリテトラフルオロエチレン、ポリフェニレンサルファド等で構成されると好ましい。第１〜第４拡張突起４１〜４４は、ハウジング１５の側壁部内面に溶着や接着等により固定されてもよく、ハウジング１５と一体に成形されてもよい。
【００１９】
以下、第１ハウジング側端子３１とその幅方向両側に設けられた第１及び第２拡張突起４１,４２の説明を行い、これに類似する構成である第２ハウジング側端子３２とその幅方向両側に設けられた２つの拡張突起４３,４４とからなる構造については、その説明を省略する。
【００２０】
図３に示すように、ハウジング側端子３１の厚さは、第１拡張突起４１のＸ方向の厚さよりも小さく、第１ハウジング側端子３１の全領域は、第１及び第２拡張突起４１,４２のＸ方向内に包み込まれる。図２に示すように、第１及び第２拡張突起４１,４２は、Ｚ方向に延在し、Ｚ方向の両側が尖っている。
【００２１】
図２に示すように、ハウジング１５は、Ｙ方向両側の２つの側壁の夫々からＹ方向外側に突出する係合突起３３を有する。この係合突起３３はハウジング１５に対してグリップ１６を挿入する際に使用する。係合突起３３を用いたハウジング１５に対するグリップ１６の導入動作については後に詳述する。
【００２２】
図４はグリップ１６の模式斜視図であり、図５はグリップ１６を側方から見たときの模式図である。図４及び図５に示すＸ方向、Ｙ方向及びＺ方向は、グリップ１６がハウジング１５に挿入された場合に図２及び図３に示すＸ方向、Ｙ方向及びＺ方向に一致する。
【００２３】
グリップ１６は、高さ方向Ｚの下面が開口するケース部５０を有する。ケース部５０は、導電性を有さない材料、例えば絶縁樹脂等で構成されることが好ましい。図４に示すように、ケース部５０内には、１対の第１グリップ側端子６１及び第２グリップ側端子６２が設けられる。第１及び第２グリップ側端子６１,６２は、ケース部５０のグリップ端子保持構造や接着剤等でケース部５０に固定される。第１グリップ側端子６１は、第２グリップ側端子６２と同一のクリップ形状からなる。グリップ側端子６１,６２は、ケース部５０の下方開口側に挟持部６１ａ,６２ａを有し、ケース部５０の上側に底部６１ｂ,６２ｂを有する。第１グリップ側端子６１は、間隔をおいた状態で第２グリップ側端子６２にＸ方向に対向し、Ｘ方向から見たとき第２グリップ側端子６２に重なる。図４に示すように、第１グリップ側端子６１の底部６１ｂと第２グリップ側端子６２の底部６２ｂとは金属板等で構成される導電性板材６３を介して電気的に接続される。グリップ側端子６１,６２の挟持部６１ａ,６２ａはＹ方向に延在する。
【００２４】
図４に示すように、グリップ１６は、ケース部５０にある支点３５を中心として図４に矢印Ｂ,Ｃで示す方向に回動可能なレバー６４を有する。レバー６４は、２つの取付脚３７を有し、２つの取付脚３７は、ケース部５０のＹ方向の両側側面にピン等の固定具３６により回動自在に固定される。レバー６４の取付脚３７とケース部５０の側面との間にはハウジング１５の側壁２０（図３参照）の厚さよりも広い隙間が設けられる。以下、レバー６４及び係合突起３３を用いたグリップ１６の挿入動作について説明する。
【００２５】
図２及び図４を参照して、ハウジング１５内にケース部５０を配置しかつハウジング１５の側壁２０をケース部５０とレバー６４との隙間に配置するように、グリップ１６の下方側をハウジング１５に挿入する。その後、レバー６４を図４に矢印Ｃで示す方向に回動させると、取付脚３７におけるレバー把持部３８側とは反対側の先端部３９が係合突起３３に係合する。その後、レバー６４を更に矢印Ｃ方向に回動させると、取付脚３７の先端部３９が係合突起３３に係止されているので、係合突起３３を支点として、レバー６４の支点３５すなわちグリップ１６がハウジング１５に徐々に挿入される。
【００２６】
図６及び図７は、グリップ１６の挿入動作の際に第１及び第２グリップ側端子６１,６２が第１及び第２ハウジング側端子３１,３２に電気的に接続される動作について説明するための模式図である。
【００２７】
グリップ側端子６１,６２の挟持部６１ａ,６２ａは、ハウジング１５に対するグリップ１６の挿入時にハウジング側端子３１,３２を挟持してバッテリ電源回路５を閉止する。また、拡張突起４１〜４４は、ハウジング１５内のグリップ側端子６１,６２の挿抜経路に設けられ、ハウジング１５に対するグリップ１６の挿抜時にグリップ側端子６１,６２がハウジング側端子３１,３２を挟持する前後でグリップ側端子６１,６２を押し広げた状態に維持する。以下、図６及び図７を用いて、このことについて詳しく説明する。
【００２８】
以下、第１グリップ側端子６１が第１ハウジング側端子３１に電気的に接続される動作の説明を行い、これに類似する動作である第２グリップ側端子６２が第２ハウジング側端子３２に電気的に接続される動作については、その説明を省略する。
【００２９】
図６（ａ）及び図７（ａ）を参照して、先ず、グリップ１６をハウジング１５に徐々に接近させる。その後、レバー６４の取付脚３７（図４参照）がハウジング１５の側壁外側に位置するようにハウジング１５内にグリップ１６のケース部５０の開口側端部を挿入する。その後、レバー６４を徐々に倒状させてグリップ１６をハウジング１５に徐々に挿入する。第１及び第２拡張突起４１,４２はハウジング１５内の第１グリップ側端子６１の挿抜経路に設けられるので、挿入がある程度行われると、図６（ｂ）及び図７（ｂ）に示すように、ハウジング１５の第１及び第２拡張突起４１,４２の尖った先端部が第１グリップ側端子６１の挟持部６１ａの隙間に入り込む。
【００３０】
その後、レバー６４を更に倒状させてグリップ１６をハウジング１５に更に挿入すると、図６（ｃ）及び図７（ｃ）に示すように、第１及び第２拡張突起４１,４２が尖った先端部を先頭にして第１グリップ側端子６１の挟持部６１ａを徐々に通過することで、挟持部６１ａの隙間が徐々に広がる。また、図３に示すように、第１ハウジング側端子３１の全領域は第１及び第２拡張突起４１,４２の厚さ方向内に包み込まれ、板状のハウジング側端子３１は該厚さ方向で第１及び第２拡張突起４１,４２の内側に位置する。したがって、第１グリップ側端子６１の挟持部６１ａが第１及び第２拡張突起４１,４２を通過している最中には、挟持部６１ａの挟持間隔が第１及び第２拡張突起４１,４２の厚さまで広げられ、挟持部６１ａが第１ハウジング側端子３１と接しない。よって、第１ハウジング側端子３１は、挟持部６１ａの第１及び第２拡張突起４１,４２の通過時に挟持部６１ａと摺動することなく挟持部６１ａ間に入り込む。
【００３１】
その後、図６（ｄ）及び図７（ｄ）に示すように、第１及び第２拡張突起４１,４２が挟持部６１ａを通過し終えて第１グリップ側端子６１内のスペースに収容されると、押し広げられていた挟持部６１ａの間隔が元の間隔に戻って第１ハウジング側端子３１が挟持部６１ａに挟持される。このようにして、第１ハウジング側端子３１が第１グリップ側端子６１に電気的に接続される。
【００３２】
第１ハウジング側端子３１が第１グリップ側端子６１に電気的に接続されるのと同時に、第２ハウジング側端子３２が第２グリップ側端子６２に電気的に接続される。その結果、第１ハウジング側端子３１は、第１グリップ側端子６１、導電性板材６３及び第２グリップ側端子６２を介して第２ハウジング側端子３２に電気的に接続され、バッテリ電源回路５が閉止する。
【００３３】
これまで、ハウジング１５にグリップ１６を挿入する動作、及び第１ハウジング側端子３１が第１グリップ側端子６１に電気的に接続される動作について説明した。ここで、それらの動作の逆の動作が、ハウジング１５からグリップ１６を引き離す動作、及び第１グリップ側端子６１が第１ハウジング側端子３１から電気的に切り離される動作となる。
【００３４】
拡張突起４１〜４４は、ハウジング１５に対するグリップ１６の引き抜き時にはグリップ側端子６１,６２がハウジング側端子３１,３２を挟持した状態からグリップ側端子６１,６２を押し広げた状態に維持する。拡張突起４１,４２は、グリップ１６の挿抜方向の両側端部が尖っているので、グリップ引き抜き時にはグリップ挿入時とは異なる側の尖った端部を先頭にして挟持部６１ａを通過することができ、第１グリップ側端子６１内のスペースから抜け出ることができる。
【００３５】
上記第１実施形態によれば、ハウジング１５内に設けられた拡張突起４１〜４４が、グリップ１６の挿抜時にグリップ側端子６１,６２がハウジング側端子３１,３２を挟持する前後でグリップ側端子６１,６２を押し広げた状態に維持するので、グリップ挿抜時のハウジング側端子３１,３２が挟持される前後でグリップ側端子６１,６２とハウジング側端子３１,３２とが摺動することがない。したがって、グリップ挿抜時に両側端子３１,３２,６１,６２が互いの摺動によって劣化することがないので、両側端子３１,３２,６１,６２の耐久性を向上させることができ、グリップ挿抜回数が制限されることがない。
【００３６】
また、拡張突起４１〜４４のグリップ挿抜方向の両側端部が尖っているから、拡張突起４１〜４４で挟持部６１ａ,６２ａを徐々に円滑に押し広げることができ、両側端子３１,３２,６１,６２の電気的な接離を円滑に行うことができる。
【００３７】
更には、ハウジング側端子３１,３２の幅方向両側に拡張突起４１〜４４が設けられるから、グリップ挿抜時にグリップ側端子６１,６２がハウジング側端子３１,３２の幅方向両側で押し広げられる。よって、グリップ側端子６１,６２が押し広げられた状態を安定かつ確実に維持できる
【００３８】
上記第１実施形態では、第１及び第２拡張突起４１,４２対と、第３及び第４拡張突起４３,４４対が平行である例について説明した。しかし、図８に示すように、第１及び第２拡張突起１４１,１４２対と、第３及び第４拡張突起１４３,１４４対が直線状に配置されてもよい。そして、２つのクリップ状のグリップ側端子１６１,１６２も直線状に配置されて導電性部材１６３で電気的に接続されてもよい。この場合でも、挟持部１６１ａ,１６２ａに対向する板状のハウジング側端子１３１,１３２の幅方向両側に拡張突起１４１〜１４４が設けられる。
【００３９】
また、サービスプラグ１２が、２つのクリップ状のグリップ側端子６１,６２及び２つのハウジング側端子３１,３２を備え、第１グリップ側端子６１を第１ハウジング側端子３１に電気的に接続し、第２グリップ側端子６２を第２ハウジング側端子３２に電気的に接続する例につい説明した。しかし、サービスプラグは、１つのみのクリップ状のグリップ側端子を備え、更に、絶縁性板材の表側面を覆うように設けられた一方ハウジング側端子及び絶縁性板材の裏側面を覆うように設けられた他方ハウジング側端子を備えてもよい。そして、一方及び他方ハウジング側端子が絶縁性板材を介してグリップ側端子の挟持部に挟持されることにより、一方ハウジング側端子を１つのみのグリップ側端子を介して他方ハウジング側端子に電気的に接続してもよい。
【００４０】
また、ハウジング側端子３１,３２の幅方向両側に拡張突起４１〜４４を設ける例について説明したが、ハウジング側端子の幅方向片側のみに拡張突起を設けてもよい。また、拡張突起４１〜４４の両側が尖っている例について説明したが、拡張突起の一方側又は両側端部は尖っていなくてもよい。また、ユーザが挿抜する側がクリップ状の端子を有し、他方側が板状の端子を有する例について説明したが、ユーザが挿抜する側が板状の端子を有し、他方側がクリップ状の端子を有してもよい。
【００４１】
次に、図９〜図１１を用いて、第２実施形態のサービスプラグ機構（以下、単にサービスプラグという）２１２を説明する。第２実施形態では、第１実施形態と同一の作用効果及び変形例については記載を省略する。
【００４２】
図９は、第２実施形態のサービスプラグ２１２のハウジング２１５を示す図である。詳しくは、図９（ａ）は、ハウジング内構造を説明するためにハウジング２１５を断面にした模式平面図であり、図９（ｂ）は、図９（ａ）のＤ-Ｄ断面図である。また、図９（ｃ）は、図９（ａ）のＥ-Ｅ断面図である。
【００４３】
図９（ａ）、図９（ｂ）に示すように、ハウジング２１５は上面が開口した箱の形状を有する。バッテリ電源回路５からの導電線２３０は、ハウジング２１５を貫通した後、端子連結部２２１を介してハウジング側端子２３１に電気的に接続される。ハウジング側端子２３１は、板状のバスバ端子であり、その先端部２３１ａは、後述するグリップ２１６のグリップ側端子と電気的に接続される。ハウジング２１５は、バッテリ本体１１側のバッテリ電源回路５のみに接続されている。
【００４４】
図９（ａ）に示すように、ハウジング２１５は、ハウジング側端子２３１の幅方向β（以下、β方向という）の両側に第１及び第２拡張突起２４１,２４２を備える。拡張突起２４１,２４２はハウジング２１５の内面に固定されてもよく、ハウジング２１５と一体に成形されてもよい。
【００４５】
図９（ｃ）に示すように、ハウジング側端子２３１の厚さ方向α（以下、α方向という）の厚さは、第２拡張突起２４２のα方向の厚さよりも小さく、ハウジング側端子２３１の先端部２３１ａの全領域は、第１及び第２拡張突起２４１,２４２のα方向内に包み込まれる。図９（ｃ）に示すように、第１及び第２拡張突起２４１,２４２は、γ方向に延在し、γ方向の両側が尖っている。
【００４６】
図１０は、サービスプラグ２１２のグリップ２１６を示す図である。詳しくは、図１０（ａ）は、グリップ２１６を説明するための模式平断面図であり、図１０（ｂ）は、図１０（ａ）のＦ-Ｆ断面図である。図１０に示すα方向、β方向及びγ方向は、グリップ２１６がハウジング２１５に挿入された場合に図９に示すα方向、β方向及びγ方向に一致する。
【００４７】
図１０（ｂ）に示すように、グリップ２１６は、γ方向の一方側が開口するケース部２５０を有する。ケース部２５０は、絶縁性の材料、例えば絶縁樹脂からなる。ケース部２５０内には、グリップ側端子２６１、アライメント矯正部２６２、端子係止部２６３及び端子接続部２６４が設けられる。グリップ側端子２６１はクリップ形状を有し、グリップ側端子２６１の挟持部２６１ａは、ケース部２５０の開口２７０に対向する。グリップ側端子２６１は、挟持部２６１ａからγ方向に離れるにしたがってα方向の両側に広がっている。
【００４８】
アライメント矯正部２６２は、絶縁性の材料、例えば絶縁樹脂で形成され、一方アライメント部２６２ａと他方アライメント部２６２ｂからなる。一方及び他方アライメント部２６２ａ,２６２ｂは、ケース部２５０の内面に固定されてもよく、ケース部２５０と一体に成形されてもよい。一方アライメント部２６２ａは、グリップ端子一方側２６１ｂに沿うように延在してグリップ端子一方側２６１ｂをバックアップすることによってグリップ端子一方側２６１ｂが過度に変形することを防止する。また、他方アライメント部２６２ｂは、グリップ端子他方側２６１ｃに沿うように延在してグリップ端子他方側２６１ｃをバックアップすることによってグリップ端子他方側２６１ｃが過度に変形することを防止する。
【００４９】
図１０（ｂ）を参照して、端子係止部２６３は、絶縁性の材料、例えば絶縁樹脂からなる。端子係止部２６３は、ケース部２５０の内面に固定されてもよく、ケース部２５０と一体に成形されてもよい。γ方向から見たとき、端子係止部２６３はグリップ側端子２６１の底部２６１ｄの一部に重なる。例えば、アライメント矯正部２６２及び端子係止部２６３は、グリップ側端子２６１のγ方向の移動範囲を所定の範囲内に収める役割を担ってもよい。そして、図１０（ｂ）を参照して、グリップ側端子２６１は、底部２６１ｄの一部が端子係止部２６３に係止されるまでケース部２５０に対して紙面の右側にγ方向に相対移動できてもよく、グリップ側端子２６１は、グリップ端子一方側及び他方側２６１ｂ,２６１ｃが一方及び他方アラインメント部２６２ａ,２６２ｂに接触するまでケース部２５０に対して紙面の左側にγ方向に相対移動できてもよい。この例では、グリップ側端子２６１がケース部２５０に対して相対移動可能となっているが、グリップ側端子は、ケース部に固定されてケース部に対して相対移動できなくてもよい。グリップ側端子２６１は、端子接続部２６４で配線２７７と電気的に接続される。配線２７７は、バッテリ電源回路５のインバータ２側に電気的に接続され、グリップ２１６がハウジング２１５と共働してバッテリ電源回路５を閉止する。
【００５０】
図１１（ａ）〜（ｃ）は、ハウジング２１５に対するグリップ２１６の挿入動作について説明するための模式断面図である。以下、図１１を用いて、グリップ側端子２６１がハウジング側端子２３１に電気的に接続される動作について説明する。図１１（ａ）〜（ｃ）において、ハウジング２１５については図９（ｃ）に示すＥ-Ｅ断面が示される。
【００５１】
先ず、図１１（ａ）に示すように、ハウジング２１５に対してグリップ２１６を挿抜方向であるγ方向に移動させて、グリップ２１６のケース外面をハウジング内面に挿入する。拡張突起２４１,２４２はハウジング２１５内のグリップ側端子２６１の挿抜経路に設けられるので、γ方向に尖った拡張突起２４１（図９（ａ）参照）,２４２の先端がグリップ側端子２６１の挟持部２６１ａの隙間にγ方向に対向する。
【００５２】
その後、更にグリップ２１６をハウジング２１５に挿入すると、拡張突起２４１,２４２が挟持部２６１ａを図１１（ｂ）の紙面の右側に押圧することによってグリップ側端子２６１がケース部２５０内をγ方向の右側に移動し、グリップ側端子２６１の底部２６１ｄの一部が端子係止部２６３に係止されることによってグリップ側端子２６１の動きが停止する。その後、拡張突起２４１,２４２は、尖った先端部を先頭にしてグリップ側端子２６１の挟持部２６１ａに入り込み、挟持部２６１ａのα方向の挟持間隔をハウジング側端子２３１の厚さよりも一旦広く押し広げる。
【００５３】
図９（ａ）,（ｃ）に示すように、ハウジング側端子２３１の先端部２３１ａの全領域は、第１及び第２拡張突起２４１,２４２のα方向内に包み込まれ、板状のハウジング側端子３１は厚さ方向で第１及び第２拡張突起２４１,２４２の内側に位置する。したがって、グリップ側端子２６１の挟持部２６１ａが第１及び第２拡張突起２４１,２４２を通過している最中には、挟持部２６１ａの挟持間隔が第１及び第２拡張突起２４１,２４２の厚さまで広げられ、挟持部２６１ａがハウジング側端子２３１と接しない。よって、ハウジング側端子２３１は、挟持部２６１ａの第１及び第２拡張突起２４１,２４２の通過時に挟持部２６１ａと摺動することなく挟持部２６１間に入り込む。
【００５４】
その後、図１１（ｃ）に示すように、拡張突起２４１,２４２が挟持部２６１ａを通過し終えてグリップ側端子２６１内のスペースに収容されると、押し広げられていた挟持部２６１ａの挟持間隔が元の挟持間隔に戻ってハウジング側端子２３１が挟持部２６１ａに挟持される。このようにして、ハウジング側端子２３１がグリップ側端子２６１に電気的に接続され、バッテリ電源回路５が閉止する。
【００５５】
これまで、ハウジング２１５にグリップ２１６を挿入する動作、及びハウジング側端子２３１がグリップ側端子２６１に電気的に接続される動作について説明した。ここで、それらの動作の逆の動作が、ハウジング２１５からグリップ２１６を引き離す動作、及びグリップ側端子２６１がハウジング側端子２３１から電気的に切り離される動作となる。拡張突起２４１,２４２は、グリップ２１６の挿抜方向の両側端部が尖っているので、グリップ引き抜き時にはグリップ挿入時とは異なる側の尖った端部を先頭にして挟持部２６１ａを通過することができ、グリップ側端子２６１内のスペースから抜け出ることができる。
【００５６】
以上の説明より明らかなように、第２実施形態でも、グリップ側端子２６１の挟持部２６１ａは、ハウジング２１５に対するグリップ２１６の挿入時にハウジング側端子２３１を挟持してバッテリ電源回路５を閉止する。また、拡張突起２４１,２４２は、ハウジング２１５に対するグリップ２１６の挿抜時にグリップ側端子２６１がハウジング側端子２３１を挟持する前後でグリップ側端子２６１を押し広げた状態に維持する。
【符号の説明】
【００５７】
１  バッテリ、  ５  バッテリ電源回路、  １１  バッテリ本体、  １２,  ２１２  サービスプラグ、  １５,  ２１５  ハウジング、  １６,  ２１６  グリップ、  ３１  第１ハウジング側端子、  ３２  第２ハウジング側端子、  ４１,  ２４１  第１拡張突起、  ４２,  ２４２  第２拡張突起、  ４３  第３拡張突起、  ４４  第４拡張突起、  ６１  第１グリップ側端子、  ６１ａ,  ６２ａ,  ２６１ａ  挟持部、  ６２  第２グリップ側端子、  ２３１  ハウジング側端子、  ２６１  グリップ側端子。
【図１】
2017111980.tif 000003
【図２】
2017111980.tif 000004
【図３】
2017111980.tif 000005
【図４】
2017111980.tif 000006
【図５】
2017111980.tif 000007
【図６】
2017111980.tif 000008
【図７】
2017111980.tif 000009
【図８】
2017111980.tif 000010
【図９】
2017111980.tif 000011
【図１０】
2017111980.tif 000012
【図１１】
2017111980.tif 000013